(57)【要約】【課題】ＩＣカード又はこれに類する媒体を用いた非接触通信によるサービスを複数享受する際のユーザの利便性を向上させる。【解決手段】携帯端末３には、自動改札機６を通過するために必要な交通系ＩＣカードと同等の機能を発揮する機能モジュールが搭載されており、携帯端末３はそのＩＣカードとして動作することができる。携帯端末３には、交通系ＩＣカード以外の他の特定機能のＩＣカードの機能モジュールも搭載されている。つまり、携帯端末３には、複数のＩＣカードの機能が一体的に搭載されている。【選択図】図２
2018142321.tif 000002
【特許請求の範囲】
【請求項１】
複数の機能実行装置との間で無線通信が可能な携帯端末であって、
前記複数の機能実行装置は各々、複数種類の機能のうち予め決められた特定機能を実行可能であって、前記特定機能の実行に必要な特定機能情報を外部から取得するための情報要求を特定の無線通信方式にて送信し、その情報要求に対して前記特定機能情報を受信した場合にその特定機能情報に基づいて前記特定機能を実行可能に構成されており、
当該携帯端末は、
複数種類の前記特定機能を登録可能な登録部と、
前記登録部により登録されている前記特定機能毎に、その特定機能に対応した前記特定機能情報を記憶可能な記憶部と、
前記特定機能毎に個別に、その特定機能に対応した前記機能実行装置との間でその特定機能に対応した前記無線通信方式にて無線通信を行うことが可能な無線通信部と、
何れかの前記特定機能に対応した前記情報要求が前記無線通信部にて受信された場合に、その特定機能に対応した前記特定機能情報を前記記憶部から読み出して、対応する前記無線通信方式にて前記無線通信部から送信させる通信制御部と、
を備えることを特徴とする携帯端末。
【請求項２】
請求項１に記載の携帯端末であって、
前記機能実行装置は、前記特定機能に対応した前記情報要求を送信後、当該携帯端末とは別の、前記特定機能に対応した前記特定機能情報を保持した情報通信媒体によって、前記情報要求が受信されたことにより、その情報通信媒体から前記特定機能情報が送信されて、その送信された前記特定機能情報を受信した場合、その特定機能情報に基づいて対応する前記特定機能を実行可能であり、
当該携帯端末は、前記情報通信媒体から前記特定機能情報を取得する情報取得部を備え、
前記登録部は、前記情報取得部により取得された前記特定機能情報を前記記憶部に記憶させることにより対応する前記特定機能を新規に登録可能である
ことを特徴とする携帯端末。
【請求項３】
請求項２に記載の携帯端末であって、
前記機能実行装置から送信された前記情報要求が前記無線通信部で受信された場合にその情報要求を取得する要求取得部を備え、
前記情報取得部は、前記要求取得部により前記情報要求が取得された後、その情報要求に対して前記情報通信媒体から送信された前記特定機能情報が前記無線通信部で受信された場合にその特定機能情報を取得し、
前記登録部は、前記要求取得部により前記情報要求が取得された後、その情報要求に対する前記情報通信媒体からの前記特定機能情報が前記情報取得部により取得された場合、その取得された前記特定機能情報を、前記要求取得部により取得された前記情報要求と対応付けて前記記憶部に記憶することにより、対応する前記特定機能を登録する
ことを特徴とする携帯端末。
【発明の詳細な説明】
【技術分野】
【０００１】
本発明は、無線通信機能を搭載した携帯型の端末に関する。
【背景技術】
【０００２】
近年、様々な分野で、ＩＣカード又はこれに類する媒体を用いた非接触通信によるサービスが普及している。
例えば交通機関においては、利用者がＩＣカードを自動改札機にかざすことで、改札を通過できると共に必要な決済を自動で済ませることが可能な、自動改札システムが広く普及している（例えば、特許文献１参照。）。
【０００３】
また例えば、デパートや飲食店などの各種店舗での決済時に、電子マネー機能が搭載されたＩＣカードを用いることで、現金を用いることなく決済を済ませることが可能な、電子決済システムも広く普及している（例えば、特許文献２参照。）。
【０００４】
また例えば、家屋の玄関や建物内の部屋のドアなどを、物理的な鍵を挿入して解錠操作することなくＩＣカードをかざして電子的に解錠させることが可能な、電子錠システムも普及しつつある（例えば、特許文献３参照。）。
【先行技術文献】
【特許文献】
【０００５】
【特許文献１】特開２００４−３５５５８０号公報
【特許文献２】特開２０１０−０８６１３４号公報
【特許文献３】特開２００９−２３５８２４号公報
【発明の概要】
【発明が解決しようとする課題】
【０００６】
様々な分野でＩＣカードの利用が普及してくると、個人が持つＩＣカードの種類も増えてくる。所有するＩＣカードが多くなるほど、それら多くのＩＣカードを管理したり、持ち歩いたり、必要なＩＣカードを探し出したりする際の、手間や労力が増大する。
【０００７】
本発明の一側面においては、ＩＣカード又はこれに類する媒体を用いた非接触通信によるサービスを複数享受する際のユーザの利便性が向上することが望ましい。
【課題を解決するための手段】
【０００８】
本発明の一側面の携帯端末は、複数の機能実行装置との間で無線通信が可能な携帯端末である。複数の機能実行装置は各々、複数種類の機能のうち予め決められた特定機能を実行可能である。複数の機能実行装置は各々、特定機能の実行に必要な特定機能情報を外部から取得するための情報要求を特定の無線通信方式にて送信し、その情報要求に対して特定機能情報を受信した場合にその特定機能情報に基づいて特定機能を実行可能である。
【０００９】
当該携帯端末は、登録部と、記憶部と、無線通信部と、通信制御部とを備える。登録部は、複数種類の特定機能を登録可能である。記憶部は、登録部により登録されている特定機能毎に、その特定機能に対応した特定機能情報を記憶可能である。無線通信部は、特定機能毎に個別に、その特定機能に対応した機能実行装置との間でその特定機能に対応した無線通信方式にて無線通信を行うことが可能である。通信制御部は、何れかの特定機能に対応した情報要求が無線通信部にて受信された場合に、その特定機能に対応した特定機能情報を記憶部から読み出して、対応する無線通信方式にて無線通信部から送信させる。
【００１０】
このような構成によれば、通常はＩＣカードやそれに類する媒体とサービス提供者側の機能実行装置との間の無線通信によって実現される特定機能（サービス）が、携帯端末と機能実行装置との無線通信により実現できる。即ち、携帯端末内に、ＩＣカード又はこれに類する媒体によって実現される特定機能を登録可能である。そして、登録されている特定機能については、携帯端末は、機能実行装置に対し、ＩＣカード又はこれに類する媒体と同様に振る舞う。しかも、携帯端末内に複数の特定機能を登録可能である。つまり、異なるサービスの複数のＩＣカード等が携帯端末内に統合されていると見なすことができる。そのため、上記構成の携帯端末によれば、ＩＣカード又はこれに類する媒体を用いた非接触通信によるサービスを複数享受する際のユーザの利便性が向上する。
【００１１】
また、上記構成において、機能実行装置が特定機能に対応した情報通信媒体から特定機能情報を取得して特定機能を実行可能である場合は、携帯端末における特定機能の登録を次のように行えるようにしてもよい。即ち、機能実行装置は、特定機能に対応した情報要求を送信後、当該携帯端末とは別の、特定機能に対応した特定機能情報を保持した情報通信媒体によって情報要求が受信されたことによりその情報通信媒体から特定機能情報が送信されてその送信された特定機能情報を受信した場合は、その特定機能情報に基づいて対応する特定機能を実行可能である。携帯端末は、情報取得部を備える。この情報取得部は、情報通信媒体から特定機能情報を取得する。そして、登録部は、情報取得部により取得された特定機能情報を記憶部に記憶させることにより、対応する特定機能を新規に登録可能である。
【００１２】
このような構成によれば、機能実行装置からの情報要求に対して情報通信媒体が送信する特定機能情報を、携帯端末が取得することで、その特定機能情報に対応した特定機能を登録することができる。そして、一旦登録されれば、以後、携帯端末が情報通信媒体と同様に振る舞うことで特定機能を実行させることができる。携帯端末が様々な情報通信媒体から特定機能情報を取得し登録することで、携帯端末内に様々な種類の特定機能を登録することができる。
【００１３】
情報通信媒体から特定機能情報を取得して特定機能を登録する具体的方法として、情報通信媒体と機能実行装置との無線通信時に双方で送受される情報要求及び特定機能情報をそれぞれ受信して取得することにより登録する方法を採用してもよい。即ち、携帯端末は、機能実行装置から送信された情報要求が無線通信部で受信された場合にその情報要求を取得する要求取得部を備える。情報取得部は、要求取得部により情報要求が取得された後、その情報要求に対して情報通信媒体から送信された特定機能情報が無線通信部で受信された場合にその特定機能情報を取得する。登録部は、要求取得部により情報要求が取得された後、その情報要求に対する情報通信媒体からの特定機能情報が情報取得部により取得された場合、その取得された特定機能情報を、要求取得部により取得された情報要求と対応付けて記憶部に記憶することにより、対応する特定機能を登録する。
【００１４】
このような構成によれば、機能実行装置から送信された情報要求、及びその情報要求に対して情報通信媒体から送信された特定機能情報をそれぞれ受信することで、該当する特定機能を容易に登録することができる。
【００１５】
なお、本発明は、前述した携帯端末の他、携帯端末を構成要素とする各種システム（例えば携帯端末と機能実行装置とを備えるシステム）、携帯端末を構成する上記各部としてコンピュータを機能させるためのプログラム、携帯端末で用いられる各種処理方法など、種々の形態で実現することができる。
【図面の簡単な説明】
【００１６】
【図１】第１の登録方法によって特定機能を腕時計に初期登録する方法を説明するための説明図である。
【図２】初期登録済みの腕時計を用いて特定機能を利用する際の利用形態を説明するための説明図である。
【図３】第２の登録方法及び第３の登録方法によって特定機能を腕時計に初期登録する方法を説明するための説明図である。
【図４】腕時計の概略構成を示すブロック図である。
【図５】腕時計内のメモリに記憶されている各種機能モジュール（アプリ）の具体的内容の一例を示す説明図である。
【図６】制御装置で実行される機能実行処理を示すフローチャートである。
【図７】第１の登録方法による初期登録処理を示すフローチャートである。
【図８】機能利用処理を示すフローチャートである。
【図９】（ａ）は第２の登録方法による初期登録処理を示すフローチャート、（ｂ）は第３の登録方法による初期登録処理を示すフローチャートである。
【図１０】車両の概略構成を示すブロック図である。
【図１１】車室内通信処理を示すフローチャートである。
【図１２】車両で実行される車室内認証処理を示すフローチャートである。
【図１３】車両で実行される車両動作監視処理を示すフローチャートである。
【図１４】機能利用処理の他の例を示すフローチャートである。
【図１５】機能実行処理の他の例を示すフローチャートである。
【発明を実施するための形態】
【００１７】
以下に、本発明の好適な実施形態を図面に基づいて説明する。
（１）非接触型機能システムの概要
本実施形態の非接触型機能システムは、通常は非接触型のＩＣカード又はこれに類する媒体が対応する機器と非接触による通信（無線通信）を行うことで実現される特定機能を、腕時計と対応機器との無線通信によっても実現可能に構成されたシステムである。なお、非接触型のＩＣカードに類する媒体としては、例えば、ＩＣタグ、ＩＣタグが組み込まれた媒体（例えば携帯電話機）、自動車の電子キーなどが挙げられる。
【００１８】
非接触型機能システムで実現される特定機能には様々な種類がある。ここではまず、非接触型機能システムで実現可能な特定機能をいくつか例示する。特定機能としては、例えば、交通系カード機能、電子マネー機能、ポイントカード機能、電子錠機能、自動車用電子キー機能、などが挙げられる。
【００１９】
（１−１）特定機能の概要
各種特定機能のうち、交通系カード機能、電子マネー機能、電子錠機能、及び自動車用電子キー機能、の４種類の機能の概要を説明する。なお、これら各特定機能の内容自体は、従来から知られている内容である。
【００２０】
交通系カード機能とは、電車やバスなどの交通機関において広く普及している自動改札システムで用いられている機能である。自動改札システムにおいては、利用者がＩＣカードを自動改札機にかざすことで、改札を通過できると共に必要な決済を自動で済ませることができる。
【００２１】
自動改札システムでは、自動改札機内の制御装置に搭載されたアンテナから定期的にリクエスト信号が送信されている。このアンテナの近傍にＩＣカードをかざすと、ＩＣカードにてリクエスト信号が受信される。ＩＣカードは、リクエスト信号を受信すると、それに対する応答として応答信号を送信する。この応答信号には、ＩＣカードのＩＤ情報も含まれる。ＩＣカードから送信された応答信号が自動改札機内の制御装置にて受信されると
、制御装置は、ＩＤを照合し、正規のＩＤであれば、さらに必要な処理を進める。必要な処理とは、例えば、利用者名の取得、チャージ金額の取得及び更新、定期利用区間の取得、利用履歴の取得及び更新、などがある。
【００２２】
ＩＣカードには、少なくとも固有のＩＤが記憶されている。利用者名、チャージ金額、定期利用区間、利用履歴などの各種情報は、ＩＣカードに記憶されていてもよいし、システム側（例えばサーバ）が保持していてもよいし、ＩＣカード及びサーバの双方が保持していてもよい。少なくともＩＤを含む、ＩＣカードに記憶されている情報を、以下、カード情報ともいう。
【００２３】
ＩＣカードと自動改札機内の制御装置との無線通信は、特定の第１の無線通信方式によって行われる。また、その通信周波数（中心周波数）はｆ１である。自動改札システムで使用可能なＩＣカードは、一般に、交通機関の運営会社から発行される。例えばＡ電鉄が運営する鉄道網を利用可能なＩＣカードである「Ａ電鉄カード」は、Ａ電鉄から利用者へ提供される。また例えば、Ｂ市交通局が運営する地下鉄を利用可能なＩＣカードである「Ｂ地下鉄カード」は、Ｂ市交通局から利用者へ提供される。
【００２４】
本実施形態では、上記のような各種の交通系のＩＣカードに記憶されているカード情報を、腕時計内に登録することができる。そして、その腕時計を、ＩＣカードとして利用することができる。即ち、腕時計を自動改札機にかざすことで、自動改札機内の制御装置と腕時計との間で、ＩＣカードをかざした場合と全く同じような無線通信が行われ、ＩＣカードをかざした場合と同様のサービスを享受することができる。具体的には、腕時計をかざすことで改札を通過したり決済を自動で済ませたりすることができる。
【００２５】
電子マネー機能とは、デパートや飲食店、小売店などの各種店舗等で導入されている電子決済システムで用いられる機能である。電子決済システムにおいては、利用者がＩＣカードの一種である電子マネーカードを用いることで、現金を用いることなく決済を済ませることができる。
【００２６】
電子決済システムでは、電子決済用の制御装置に搭載されたアンテナから定期的にリクエスト信号が送信されている。このアンテナの近傍に電子マネーカードをかざすと、電子マネーカードにてリクエスト信号が受信される。電子マネーカードは、リクエスト信号を受信すると、それに対する応答として応答信号を送信する。この応答信号には、電子マネーカードのＩＤ情報も含まれる。電子マネーカードから送信された応答信号が制御装置にて受信されると、制御装置は、ＩＤを照合し、正規のＩＤであれば、さらに必要な処理を進める。必要な処理とは、例えば、利用者名の取得、チャージ金額の取得及び更新、利用履歴の取得及び更新、などがある。
【００２７】
電子マネーカードには、カード情報として少なくとも固有のＩＤが記憶されている。利用者名、チャージ金額、利用履歴などの各種情報は、電子マネーカードに記憶されていてもよいし、システム側（例えばサーバ）が保持していてもよいし、電子マネーカード及びサーバの双方が保持していてもよい。
【００２８】
電子マネーカードと電子決済用の制御装置との無線通信は、交通系カードと同様、第１の無線通信方式によって行われる。その通信周波数（中心周波数）も交通系カードと同じｆ１である。電子決済システムで使用可能な電子マネーカードは、例えば特定の電子決済運営機関から発行される。
【００２９】
本実施形態では、電子マネーカードに記憶されているカード情報を、腕時計内に登録することができる。そして、その腕時計を、電子マネーカードとして利用することができる
。即ち、腕時計を電子決済用の制御装置のアンテナにかざすことで、制御装置と腕時計との間で、電子マネーカードをかざした場合と全く同じような無線通信が行われ、電子マネーカードをかざした場合と同様のサービスを享受することができる。具体的には、腕時計をかざすことで決済を自動で済ませることができる。また、腕時計をかざすことで腕時計内に金額をチャージすることもできる。
【００３０】
電子錠機能とは、主に建物の内外で導入されている電子錠システムで用いられる機能である。電子錠システムにおいては、利用者がＩＣカードを用いることで、家屋の玄関や建物内の部屋のドアなどを、物理的な鍵を挿入して解錠操作することなく解錠させることができる。
【００３１】
電子錠システムでは、ロック機構を制御する制御装置に搭載されたアンテナから定期的にリクエスト信号が送信されている。このアンテナの近傍にＩＣカードをかざすと、ＩＣカードにてリクエスト信号が受信される。ＩＣカードは、リクエスト信号を受信すると、それに対する応答として応答信号を送信する。この応答信号には、ＩＣカードのＩＤ情報も含まれる。ＩＣカードから送信された応答信号が制御装置にて受信されると、制御装置は、ＩＤを照合し、正規のＩＤであれば、さらに必要な処理を進める。必要な処理とは、例えば、利用者名の取得、ロック機構の解錠処理、入室履歴の取得及び更新、などがある。
【００３２】
ＩＣカードには、カード情報として少なくとも固有のＩＤが記憶されている。利用者名や入室履歴などの各種情報は、ＩＣカードに記憶されていてもよいし、システム側（例えばサーバ）が保持していてもよいし、ＩＣカード及びサーバの双方が保持していてもよい。
【００３３】
ＩＣカードと制御装置との無線通信は、第２の無線通信方式によって行われる。また、その通信周波数（中心周波数）はｆ２である。電子錠システムが導入された建物等においては、対応するＩＣカードを用いることで、セキュリティ性能の向上と利用者の利便性の向上の両立が実現される。例えばＷ株式会社においては、会社入り口のゲートを解錠するためのＩＣカードであるＷ社入門カードを所持する者のみが、そのＷ社入門カードを用いて会社入り口のゲートを通過することができる。また例えば、ある利用者の自宅においては、その家屋の玄関を解錠するためのＩＣカードである自宅用カードキーを所持する者のみが、その自宅用カードキーを用いて玄関を開けることができる。
【００３４】
本実施形態では、電子錠システムで用いられるＩＣカードのカード情報を、腕時計内に登録することができる。そして、その腕時計を、電子錠システムのＩＣカードとして利用することができる。即ち、腕時計を電子錠システムの制御装置のアンテナにかざすことで、制御装置と腕時計との間で、ＩＣカードをかざした場合と全く同じような無線通信が行われ、ＩＣカードをかざした場合と同様に解錠させることができる。
【００３５】
自動車用電子キー機能とは、ユーザが携帯した電子キーと自動車との間の無線通信によりユーザがキーに触れることなくドアのロック・アンロックやエンジンの始動・停止を行うことが可能な自動車用電子キーシステムにおいて用いられる機能である。
【００３６】
自動車用電子キーシステムでは、自動車に搭載された車室外送信機及び車室内送信機から定期的にリクエスト信号が送信されている。そのリクエスト信号の検知エリア内に電子キーが入ることにより電子キーにてリクエスト信号が受信されると、電子キーは応答信号を送信する。この応答信号には、電子キーのＩＤ情報が含まれる。電子キーから送信された応答信号が自動車内の受信機にて受信されると、自動車内の制御装置は、ＩＤを照合し、正規のＩＤであれば、さらに必要な処理を進める。必要な処理とは、例えば、ドアのア
ンロックが可能なアンロックスタンバイ状態に移行させる処理がある。また例えば、電子キーが車室内に存在している場合には、エンジンの始動が可能な始動スタンバイ状態に移行させる処理がある。
【００３７】
電子キーと自動車の制御装置との無線通信は、特定の無線通信方式によって行われる。以下、電子キーと自動車の制御装置との無線通信の方式を「スマート通信方式」ともいう。スマート通信方式の通信周波数（中心周波数）はｆ３である。
【００３８】
本実施形態では、自動車用電子キーシステムで用いられる電子キーの情報を、腕時計内に登録することができる。電子キーの情報とは、本実施形態ではＩＤであり、上記カード情報に対応する情報である。そして、その腕時計を、自動車用電子キーシステムの電子キーとして利用することができる。即ち、その腕時計を装着して自動車に近づくことで、自動車をアンロックスタンバイ状態に移行させて、ドアを開けることができる。また、その腕時計を装着して車内に乗り込むことで、自動車を始動スタンバイ状態に移行させて、エンジンを始動させることができる。
【００３９】
（１−２）非接触型機能システムの利用形態
次に、本実施形態の腕時計３を用いた非接触型機能システムの利用形態について、図１〜図３を用いて説明する。
【００４０】
腕時計３を用いて上記各特定機能を利用するためには、腕時計３にその特定機能を登録する必要がある。本実施形態では、まず、登録させたい特定機能に対応したアプリケーションソフト（以下「アプリ」と略す）を腕時計３にインストールする。そして、そのアプリを起動させ、特定機能の初期登録を行う。この初期登録により、特定機能に対応したＩＣカードのカード情報が腕時計３に登録（記憶）される。そのため、初期登録完了後は、腕時計３を用いて、ＩＣカードと同様に特定機能を利用することができる。
【００４１】
ＩＣカードの情報を腕時計３に登録する方法は、本実施形態では主に３通りある。いずれも、登録対象の特定機能に対応したアプリ（以下「機能モジュール」ともいう）により実行される。
【００４２】
なお、腕時計３において、機能モジュールを含む各種プログラムは、制御部１０（図４参照）内のＣＰＵにより実行されるが、その各種プログラムを実行するＣＰＵのことを、以下の説明では、単にプログラム名で記載する場合もある。例えば「機能モジュールが」という記載は、「機能モジュールを実行するＣＰＵが」を意味する場合もある。
【００４３】
第１の登録方法は、ＩＣカードと対応機器との間で無線通信が行われているときに両者間で送受される信号を腕時計３が受信（傍受）して登録する方法である。第２の登録方法は、腕時計３が直接、特定機能に対応したリクエスト信号をＩＣカードに送信し、そのリクエスト信号に対してＩＣカードから送信された応答信号を受信して登録する方法である。  第３の登録方法は、中継登録機３７（図３（ｃ）参照）を用いてＩＣカードからカード情報を読み取らせ、その読み取らせたカード情報と、対応機器から送信される信号とを、その中継登録機３７から無線にて取得して登録する方法である。以下、これら３つの登録方法を具体的に説明する。
【００４４】
まず、第１の登録方法について具体的に説明する。既述の通り、ＩＣカードを対応機器にかざすと、ＩＣカードからのリクエスト信号に対してＩＣカードから応答信号が送信される。応答信号の送信後も、必要に応じて各種の信号の送受が行われる。そこで、その２者間で送受される各種信号を腕時計３に受信させ、対応機器からの送信信号とＩＣカードからの送信信号とを対応付けて、特定機能を登録する。これにより、当該機能モジュール
（アプリ）は、対応機器からどのような信号を受信した場合にはどのような信号を送信すればよいかがわかる。このようにして登録が行われることで、以後、当該機能モジュールは、対応するＩＣカードとして振る舞うことができるようになる。
【００４５】
図１に基づき、交通系カード機能を腕時計３に登録する場合を例に挙げてより具体的に説明する。図１（ａ）は、腕２に腕時計３を装着したユーザがＩＣカード４を持ってＡ電鉄の自動改札機６に近づこうとしている様子を示している。この例では、ＩＣカード４は、Ａ電鉄カードである。自動改札機６には、ゲート機構８によるゲートの開閉動作を制御するための制御装置７が搭載されている。なお、交通系カード機能において用いられる無線方式は、通信周波数がｆ１の第１の無線通信方式である。そのため、交通系カード機能を登録する際に行われる無線通信において用いられる無線通信方式も同じく第１の無線通信方式である。
【００４６】
制御装置７は、図１（ｂ）に示すように、その内部に、ＩＣカード４との直接的な無線通信を行うためのリーダライタ７ａが搭載されている。このリーダライタ７ａのアンテナ７ｂは、図１（ａ）に示すように、自動改札機６の機器本体の表面に配置されている。また、制御装置７は、ネットワークを介してサーバ９と接続されており、サーバ９との間で必要に応じてデータ通信を行う。
【００４７】
腕時計３には、Ａ電鉄の交通系カード機能を登録するために必要な機能モジュール（アプリ）であるＡ電鉄機能モジュールが、ユーザによってインストールされている。なお、Ａ電鉄機能モジュールを含め、各特定機能に対応した各機能モジュールがいつどのように腕時計３にインストールされるかについては種々の態様が考えられる。例えば、腕時計３の製造時に予め各種機能モジュールがプリインストールされていてもよい。
【００４８】
図１（ａ）に示すように、腕時計３を装着したユーザがＩＣカード４を自動改札機６のアンテナ７ｂの上部にかざすと、アンテナ７ｂから周期的に送信されるリクエスト信号ＲＱがＩＣカード４で受信される。ＩＣカード４は、リクエスト信号ＲＱを受信すると、それに対して応答信号ＲＳを送信する。応答信号ＲＳには、少なくとも、ＩＣカード４が有する固有のＩＤ情報であるＩＤ１ａが含まれる。
【００４９】
アンテナ７ｂから送信されるリクエスト信号ＲＱ及びそれに対してＩＣカード４から送信される応答信号ＲＳは、いずれも、腕時計３がその両者の通信範囲内に存在している限り、腕時計３でも受信可能である。上記の両者間の通信により送受されるリクエスト信号ＲＱ及び応答信号ＲＳが腕時計３にて順次受信されると、腕時計３内のＡ電鉄機能モジュールは、それら受信信号を順次取得する。ＩＣカード４が応答信号ＲＳを送信した後も，必要に応じて信号の送受が行われるが、その送受される信号も、腕時計３で受信される度にその受信信号がＡ電鉄機能モジュールにて取得される。
【００５０】
制御装置７とＩＣカード４との間で信号の送受が行われる間、制御装置７は、必要に応じてサーバ９との通信も行う。例えば、ＩＣカード４から取得したＩＤ１ａをサーバ９に送信して認証を行わせ、その結果をサーバ９から取得するようにしてもよい。なお、ＩＤ認証は制御装置７が行うようにしてもよい。つまり、交通系カード機能を実現するために必要な各種処理のうちどこまでを制御装置７が担ってどこまでをサーバ９が担うのかについては、適宜決めることができる。他の特定機器についても同様である。
【００５１】
制御装置７とＩＣカード４との間で所定の信号の送受が行われ、ＩＤの認証も成功すると、制御装置７は、ゲート機構８を制御してゲート（不図示）を開かせ、利用者の通過を可能な状態とする。
【００５２】
一方、腕時計３内のＡ電鉄機能モジュールは、登録に必要な所定の信号を全て取得すると、それら各信号をＩＤ１ａと対応付けてメモリ１８（後述の図４参照）に記憶することにより、Ａ電鉄の交通系カード機能を初期登録する。
【００５３】
これにより、以後、腕時計３内のＡ電鉄機能モジュールは、Ａ電鉄カードと同等の機能を持つようになる。Ａ電鉄機能モジュールが初期登録された後は、ＩＣカード４を用いることなく腕時計３のみで自動改札機６を通過することができる。即ち、図２（ａ）に示すように、腕時計３を装着したユーザが、腕時計３を自動改札機６のアンテナ７ｂの上部にかざすと、図２（ｂ）に示すように、アンテナ７ｂから周期的に送信されるリクエスト信号ＲＱが腕時計３で受信され、それに対して腕時計３から応答信号ＲＳが送信される。その後も必要に応じてＩＣカード４の場合と同じように信号の送受が行われ、これにより、ユーザは自動改札機６を通過することができる。
【００５４】
次に、第２の登録方法について、電子錠機能を例に挙げて、図３（ａ）及び図３（ｂ）を用いて具体的に説明する。図３（ａ）は、ユーザが自宅の玄関ドア３１を開けるためにそのロックを解除しようとしている様子を示している。玄関ドア３１は、ロック機構３３によって機械的にロックされている。ロック機構３３による施錠・解錠の動作は、制御装置３２により制御される。制御装置３２は、図１に示した自動改札機６内の制御装置７と同様、通信対象（本例では自宅用カードキー）と直接的に無線通信を行うためのリーダライタ及びアンテナが設けられている。また、制御装置３２はネットワークを介してサーバとも接続され、必要に応じてサーバとのデータ通信も行う。
【００５５】
玄関ドア３１を解錠することが許可されたユーザには、通常、自宅用カードキー３５（図３（ｂ）参照。ＩＣカードの一種。）が付与される。ユーザがその自宅用カードキー３５を制御装置３２におけるアンテナ設置部位の近傍にかざすと、制御装置３２と自宅用カードキー３５との間で所定の通信が行われる。この通信には、交通系カード機能の場合と同様、制御装置３２から周期的に送信されるリクエスト信号ＲＱを自宅用カードキー３５が受信してそれに対して自宅用カードキー３５が応答信号ＲＳを送信することが含まれる。そして、ＩＤが正規のものであるなどの所定の解錠条件が成立すると、制御装置３２がロック機構３３を制御して玄関ドア３１を解錠する。
【００５６】
このような、玄関ドア３１に対応した電子錠機能を第２の登録方法を用いて腕時計３に登録するためには、まず、腕時計３に、玄関ドア３１の電子錠機能に対応した自宅キー機能モジュールをインストールする。そして、ユーザが腕時計３を自宅用カードキー３５の近傍（腕時計３による第２の無線通信方式の通信圏内）に近付けて、自宅キー機能モジュールを起動させ、初期登録の処理を開始させると、初期登録処理が始まる。具体的には、図３（ｂ）に示すように、まず腕時計３からリクエスト信号ＲＱが送信される。このリクエスト信号ＲＱは、玄関ドア３１の横の制御装置３２が周期的に送信するリクエスト信号ＲＱと同じである。自宅用カードキー３５は、腕時計３からリクエスト信号ＲＱを受信すると、応答信号ＲＳを送信する。応答信号ＲＳには、少なくとも、自宅用カードキー３５が有する固有のＩＤ情報であるＩＤ２ｂが含まれる。
【００５７】
応答信号ＲＳが腕時計３で受信されると、腕時計３内の自宅キー機能モジュールはその応答信号ＲＳを取得する。腕時計３の自宅キー機能モジュールは、応答信号ＲＳを受信した後も、制御装置３２が自宅用カードキー３５との間で行う通信と全く同じように（つまり擬似的に制御装置３２として振る舞って）、必要なデータ通信を行い、登録に必要な情報を自宅用カードキー３５から取得する。なお、電子錠機能において用いられる無線方式は、通信周波数がｆ２の第２の無線通信方式である。そのため、電子錠機能を登録する際に行われる無線通信において用いられる無線通信方式も同じく第２の無線通信方式である。
【００５８】
腕時計３内の自宅キー機能モジュールは、登録に必要な所定の信号を全て取得すると、それら各信号をＩＤ２ｂと対応付けてメモリ１８（後述の図４参照）に記憶することにより、玄関ドア３１に対応した電子錠機能を初期登録する。
【００５９】
これにより、以後、腕時計３内の自宅キー機能モジュールは、自宅用カードキー３５と同等の機能を持つようになる。自宅キー機能モジュールが初期登録された後は、自宅用カードキー３５を用いることなく腕時計３のみで玄関ドア３１を解錠させることができる。即ち、図３（ａ）に示すように、腕時計３を装着したユーザが、腕時計３を制御装置３２におけるアンテナ設置部位の近傍にかざすと、制御装置３２から周期的に送信されるリクエスト信号ＲＱが腕時計３で受信され、それに対して腕時計３から応答信号ＲＳが送信される。その後も必要に応じて自宅用カードキー３５の場合と同じように腕時計３と制御装置３２との間で信号の送受が行われ、これにより玄関ドア３１が解錠される。
【００６０】
次に、第３の登録方法について、電子錠機能を例に挙げて、図３（ａ）及び図３（ｃ）を用いて具体的に説明する。玄関ドア３１に対応した電子錠機能を第３の登録方法を用いて腕時計３に登録するためには、第２の登録方法の場合と同じく、前提として、腕時計３に自宅キー機能モジュールがインストールされている必要がある。更に、第３の登録方法で登録するためには、図３（ｃ）に示すように、別途、中継登録器３７が必要である。
【００６１】
第３の登録方法で登録するためには、まず第１ステップとして、中継登録器３７を用いて、自宅用カードキー３５から必要な情報を取得する。具体的には、中継登録器３７を擬似制御装置モードで動作させる。擬似制御装置モードでは、中継登録器３７は、自宅用カードキー３５に対して擬似的に制御装置３２として動作する。自宅用カードキー３５からみれば中継登録器３７はあたかも制御装置３２であるかのように見え、制御装置３２に対する信号送受と同様の動作を行う。中継登録器３７が擬似制御装置モードで動作することにより、中継登録器３７は、自宅用カードキー３５から、ＩＤ２ｂを含め、登録に必要な各種情報を取得することができる。
【００６２】
第１ステップで中継登録器３７が自宅用カードキー３５から必要な情報を取得すると、第２ステップとして、中継登録器３７から腕時計３へ、登録に必要な全情報を送信させる。具体的には、まず、ユーザが腕時計３を中継登録器３７の近傍（第２の無線通信方式の通信圏内）に持って行って、自宅キー機能モジュールを起動させ、第３の登録方法による初期登録動作を開始させる。そして、中継登録器３７から、登録に必要な全ての情報を送信させる。中継登録器３７から送信される情報には、リクエスト信号ＲＱや、自宅用カードキー３５から取得した応答信号ＲＳ（ＩＤ２ｂを含む）も含まれる。つまり、自宅用カードキー３５を制御装置３２にかざしたときに両者間で送受される信号の全てが、中継登録器３７から腕時計３に送信されることになる。
【００６３】
腕時計３内の自宅キー機能モジュールは、登録に必要な所定の信号を全て取得すると、それら各信号をＩＤ２ｂと対応付けてメモリ１８（後述の図４参照）に記憶することにより、玄関ドア３１に対応した電子錠機能を初期登録する。
【００６４】
なお、交通系カード機能を登録する方法として、第２の登録方法又は第３の登録方法を用いることもできる。また、電子錠機能を登録する方法として、第１の登録方法を用いることもできる。つまり、登録可能なあらゆる特定機能について、上記第１〜第３の何れかの登録方法を用いて登録することができる。
【００６５】
（２）腕時計３の構成
腕時計３の具体的構成について、図４を用いて説明する。図４に示すように，本実施形
態の腕時計３は、バッテリ２６と、電源回路２７と、非接触受給電部２８と、を備える。
【００６６】
バッテリ２６は、繰り返し充電可能な二次電池である。ただし、バッテリ２６は、２次電池以外の他の蓄電手段（例えば一次電池、燃料電池など）であってもよい。電源回路２７は、バッテリ２６の電圧を所定電圧値の定電圧に変換して制御部１０やその他の回路等へ駆動用の電力を供給する。
【００６７】
非接触受給電部２８は、非接触給電方式にて外部へ電力を供給したり外部から電力を受電したりすることができる。外部へ電力を供給する場合、非接触受給電部２８は、バッテリ２６の直流電力を例えば電磁誘導方式によって外部へ放出する。外部から電力を受電する場合、非接触受給電部２８は、外部から受電した電力を直流に変換してバッテリ２６及び電源回路２７の少なくとも一方に出力する。非接触受給電部２８の動作は制御部１０により制御される。
【００６８】
また、腕時計３は、制御部１０と、第１通信部１１と、第２通信部１２と、第３通信部１３と、電話網通信部１４と、ＧＰＳ通信部１５と、自動車用電子キー通信部１６と、時計部１７と、を備える。
【００６９】
制御部１０は、図示しないＣＰＵ、ＲＯＭ、ＲＡＭ、Ｉ／Ｏなどを備えたマイクロコンピュータを含む。制御部１０は、当該制御部１０に接続されている各部を含む、腕時計３内の各種回路、機能ブロックを制御する。各機能モジュールを含む各種プログラムは制御部１０のＣＰＵにより実行される。
【００７０】
時計部１７は、腕時計としての基本的機能、即ち時刻情報を生成する機能を有するものであり、水晶振動子や分周回路などの、計時に必要な各種部品、回路等を有する。時計部１７にて生成される時刻情報は、表示部２０において種々の表示方法で表示される。
【００７１】
第１通信部１１は、第１の無線通信方式による無線通信の電波を送受信するための無線通信インタフェースであり、送受信用のアンテナ１１ａを備える。交通系カード機能及び電子マネー機能の実行時の無線通信は、第１通信部１１を介して行われる。
【００７２】
第２通信部１２は、第２の無線通信方式による無線通信の電波を送受信するための無線通信インタフェースであり、送受信用のアンテナ１２ａを備える。電子錠機能の実行時の無線通信は、第２通信部１２を介して行われる。
【００７３】
第３通信部１３は、第３の無線通信方式による無線通信の電波を送受信するための無線通信インタフェースであり、送受信用のアンテナ１３ａを備える。第３の無線通信方式は、本実施形態では、上述した各種特定機能を実現するための無線通信方式としては用いられず、他の用途で用いられる。第３の無線通信方式としては、例えば、無線ＬＡＮやＢｌｕｅｔｏｏｔｈ（ブルートゥース）（登録商標）などが考えられる。
【００７４】
電話網通信部１４は、携帯電話回線網を用いた無線通信の電波を送受信するための無線通信インタフェースであり、送受信用のアンテナ１４ａを備える。腕時計３が、この電話網通信部１４と、後述する音声入力部２１及び音声出力部２２を備えていることにより、腕時計３が携帯電話の通信圏内に存在している限り、携帯電話回線を介した音声通話やデータ通信が可能である。なお、携帯電話回線を介したデータ通信には、少なくとも、電子メールの送受信及びインターネットへの接続（延いてはＷｅｂサイト閲覧）が含まれる。
【００７５】
ＧＰＳ通信部１５は、複数のＧＰＳ（Global Positioning System ）衛星からの電波をアンテナ１５ａを介して受信し、それら受信電波に含まれる情報を制御部１０へ出力する
。制御部１０は、ＧＰＳ通信部１５で受信された情報をもとに腕時計３の現在位置を検出することができる。
【００７６】
自動車用電子キー通信部１６は、スマート通信方式による自動車との無線通信の電波を送受信するための無線通信インタフェースであり、送受信用のアンテナ１６ａを備える。
自動車用電子キー通信部１６は、車両５０（図１０参照）からスマート通信方式の電波にて送信されるリクエスト信号ＲＱを受信すると、その受信信号を復調して制御部１０へ出力する。制御部１０は、自動車用電子キー通信部１６からリクエスト信号ＲＱが入力されると、応答信号ＲＳとして送信すべきデータを生成する。ここで生成されるデータには、自動車用電子キー機能を実現するためのアプリである自動車用電子キー機能モジュールにおいて登録されている、自動車用電子キーのＩＤ３が含まれる。自動車用電子キー通信部１６は、制御部１０で生成されたデータを含む信号を応答信号ＲＳとして車両５０へ送信する。
【００７７】
また、腕時計３は、メモリ１８と、操作入力部１９と、表示部２０と、音声入力部２１と、音声出力部２２と、撮像部２３と、指紋検出部２４と、を備える。
メモリ１８は、記憶内容を電気的に書き換え可能な不揮発性メモリであり、本実施形態ではフラッシュメモリである。メモリ１８には、各種のプログラムやデータが記憶されている。メモリ１８に記憶されているプログラムとして、各種の特定機能を実現するための、特定機能毎の機能モジュールが含まれる。
【００７８】
図５に、メモリ１８に記憶されている各機能モジュールの具体的内容の一例を示す。図５に示すように、腕時計３には、機能モジュールとして少なくとも、Ａ電鉄機能モジュール、Ｂ地下鉄機能モジュール、電子マネー機能モジュール、Ｗ社入門機能モジュール、自宅キー機能モジュール、及び自動車用電子キー機能モジュールがインストールされ、それぞれ該当する機能がすでに登録されている。つまり、腕時計３は、少なくとも、Ａ電鉄及びＢ地下鉄を対象とした交通系カード機能、電子マネー機能、Ｗ株式会社の入り口ゲートを対象とした電子錠機能、自宅の玄関ドア３１を対象とした電子錠機能、及び車両５０を対象とした自動車用電子キー機能を備えている。換言すれば、腕時計３は、Ａ電鉄を利用する際のＡ電鉄カードとして機能でき、Ｂ地下鉄を利用する際のＢ地下鉄カードとしても機能でき、電子決済を行うための電子マネーカードとしても機能でき、Ｗ株式会社の入り口ゲートを解錠するためのＷ社入門カードとしても機能でき、自宅の玄関ドア３１を解錠するための自宅用カードキーとしても機能でき、車両５０用の電子キーとしても機能できる。
【００７９】
Ａ電鉄機能モジュールには、初期登録時にＩＣカード４から取得したＩＤ情報であるＩＤ１ａ及び各種のＡ電鉄登録情報が含まれる。Ａ電鉄登録情報としては、図５に例示しているように、当該機能に対応したリクエスト信号ＲＱ（つまり初期登録時に受信したリクエスト信号ＲＱ）が含まれる。Ａ電鉄機能モジュールは、第１通信部１１を介してリクエスト信号ＲＱが受信された場合に、そのリクエスト信号ＲＱが、Ａ電鉄機能モジュールにおいて登録されているリクエスト信号ＲＱと同じであった場合は、自身の動作（即ちＡ電鉄カードと同様の動作）を開始する。なお、リクエスト信号ＲＱと共に後述する機能コードも受信される構成である場合には、その機能コードに基づいて、自身に対応したリクエスト信号ＲＱであるか否かを判断するようにしてもよい。
【００８０】
他の各機能モジュールにも、それぞれ、初期登録時に取得したＩＤ情報及び各種の機能登録情報が含まれる。いずれの機能モジュールにおいても、機能登録情報として、対応する機能のリクエスト信号ＲＱが含まれる。そして、そのリクエスト信号ＲＱが受信されたことを契機として、該当する機能モジュールの実質的な動作が開始される。
【００８１】
なお、自動車用電子キー機能モジュールとして登録されるＩＤ情報には、当該機能を示す基本的なＩＤ情報である基本ＩＤ３に加えて、車両５０における個別機能に対応した複数のセキュリティＩＤ（ＩＤ３ａ，ＩＤ３ｂ，ＩＤ３ｃ）も登録される。これらはいずれも、初期登録時に車両５０の電子キーから取得可能な情報である。
【００８２】
表示部２０は、各種画像や情報を表示可能な表示デバイス（例えば液晶ディスプレイ）である。操作入力部１９は、各種操作入力を受け付け可能な入力デバイスである。操作入力部１９には、タッチパネルも含まれる。このタッチパネルは、表示部２０における画像表示領域のほぼ全面に重畳して配置されている。
【００８３】
音声入力部２１は、外部の音声を取り込んで電気信号に変換し、さらにその音声信号をデジタルの音声データに処理して制御部１０へ出力する。電話網通信部１４を介した音声通話が行われる際は、音声入力部２１から入力された音声が音声データとして電話網通信部１４から送信される。音声出力部２２は、スピーカを有し、各種音声データをアナログの音声信号に変換して出力する。
【００８４】
撮像部２３は、静止画及び動画を撮影可能な撮像デバイスと、撮像デバイスにより撮影された静止画や動画を処理（例えば静止画や動画のデータを生成）してその処理結果を制御部１０へ出力する画像処理回路とを有する。制御部１０は、撮像部２３から入力されるデータに基づいて、撮影された静止画や動画の内容を認識できる。
【００８５】
指紋検出部２４は、タッチパネルにおける特定の領域に重畳して設けられ、人間の指が接触した場合にその接触した部分の指紋を検出する。指紋検出部２４により検出された指紋のデータ（指紋データ）は制御部１０に入力される。なお、指紋を検出する方法は他の方法であってもよい。
【００８６】
（３）特定機能における対象機器側の制御装置の処理
次に、特定機能を実現する対象機器側の制御装置において実行される機能実行処理について、図６を用いて説明する。ここでいう対象機器側の制御装置とは、例えば交通系カード機能においては図１に例示した自動改札機６内の制御装置７を指し、例えば電子錠機能においては図３に例示した制御装置３２を指す。図６に示す機能実行処理は、各特定機能に対応した各制御装置が実行する処理を一般化して概略的に示したものである。
【００８７】
制御装置は、図６に示す機能実行処理を所定の制御周期で繰り返し実行する。制御装置は、図６の機能実行処理を開始すると、Ｓ１０で、リクエスト信号ＲＱを送信する。なお、使用する無線通信方式や通信周波数が特定機能毎に決められていることは既述の通りであり、機能実行処理において送受信する信号は全てその対応する無線通信方式にて送受信される。
【００８８】
Ｓ１５では、制御装置は、自身に対応した応答信号ＲＳ、即ちＳ１０で送信したリクエスト信号ＲＱに対する応答信号ＲＳが受信されたか否か判断する。自身に対応した応答信号ＲＳが受信されない場合は（Ｓ１５：ＮＯ）、この機能実行処理を終了する。自身に対応した応答信号ＲＳが受信された場合は（Ｓ１５：ＹＥＳ）、Ｓ２０に進む。
【００８９】
なお、制御装置は、複数の特定機能に対応した複数の応答信号ＲＳを受信する可能性があるが、その場合、無線通信方式に基づいて該当する応答信号ＲＳを絞り込み、さらに、応答信号ＲＳに含まれている機能コードに基づいて、該当する特定機能に対応した応答信号ＲＳを特定する。機能コードは、機能モジュール毎の個別のコードであって、機能登録情報としてメモリ１８に登録されており、応答信号ＲＳの送信時にＩＤ情報と共に送信される。制御装置は、応答信号ＲＳに含まれている機能コードに基づいて、自身に対応した
機能モジュールからの応答信号ＲＳであるか否かを判断することができる。なお、ＩＤに基づいて判断するようにしてもよい。
【００９０】
また、応答信号ＲＳに限らず、腕時計３において機能モジュールが何らかの信号を対応する制御装置へ送信する際は、送信対象の信号にＩＤ及び機能コードが付加される。そして、制御装置は、外部から信号を受信する度に、その受信信号に含まれているＩＤ及び機能コードの少なくとも一方に基づいて、自身に対応した信号（即ち自身が処理すべき信号）であるか否かを判断し、自身に対応した信号である場合に、その信号に基づく処理を行う。
【００９１】
Ｓ２０では、応答信号ＲＳ（制御装置に対応した応答信号ＲＳ）に含まれているＩＤに基づく認証処理を行う。受信したＩＤと制御装置に記憶されているＩＤとが一致しない場合は、認証失敗と判断し（Ｓ２０：ＮＯ）、Ｓ５５に進む。Ｓ５５では、所定のエラー処理を行って、この機能実行処理を終了する。受信したＩＤと制御装置に記憶されているＩＤとが一致した場合は、認証成功と判断し（Ｓ２０：ＹＥＳ）、Ｓ２５に進む。
【００９２】
Ｓ２５では、認証許可信号を送信する。Ｓ３０では、認証許可信号に対して、対応するＩＣカード又は腕時計３から機能情報が受信されたか否か判断する。機能情報とは、特定機能の実行に必要な各種の情報である。腕時計３においては、特定機能毎（機能モジュール毎）に登録されている機能登録情報のうちの何れか又は全てが機能情報に該当する。なお、機能コードは、上記の通り応答信号ＲＳとして送信されるため、機能情報から除外してもよい。また、機能情報は、一度にまとめて送信するのではなく、制御装置からの要求に従って複数回に分けて送信するようにしてもよい。
【００９３】
機能情報が受信されなかった場合は（Ｓ３０：ＮＯ）、Ｓ５５のエラー処理に進む。機能情報が受信された場合は（Ｓ３０：ＹＥＳ）、Ｓ３５で、その受信した機能情報に基づいて、当該特定機能に対応した機能を実行する。例えば交通系カード機能における制御装置の場合は、ゲートを開いて利用者を通過可能な状態にさせる。また例えば、電子錠機能における制御装置の場合は、ロック機構３３を制御して解錠させる。ただし、機能情報の内容が，特定機能を実行すべきでない内容となっている場合には、特定機能を実行しない。例えば、チャージ料が不足している場合には、ゲートを閉じたままとし、特定の処理（例えば警報出力）を行う。
【００９４】
Ｓ４０では、機能情報を更新する。例えば交通系カード機能においては、チャージ料を更新したり、利用履歴を更新したりすることが考えられる。また例えば、電子錠機能においては、入室履歴や使用履歴を更新することが考えられる。
【００９５】
Ｓ４５では、Ｓ４０で更新された機能情報を通信対象（ＩＣカード又は腕時計３）へ送信する。また、必要に応じて、サーバに対しても送信して、サーバにおいても最新の機能情報を保持させる。
【００９６】
Ｓ５０では、対応するＩＣカード又は腕時計３から完了通知を受信したか否か判断する。完了通知を受信しない場合は（Ｓ５０：ＮＯ）、Ｓ５５のエラー処理に進む。完了通知を受信した場合は（Ｓ５０：ＹＥＳ）、この機能実行処理を終了する。
【００９７】
（４）機能モジュールの処理
（４−１）第１の登録方法による初期登録処理
次に、腕時計３内の各機能モジュールに含まれる初期登録処理のうち、第１の登録方法による初期登録処理について、図７を用いて説明する。第１の登録方法とは、図１を用いて説明した通り、制御装置とＩＣカードとの通信を傍受することにより登録を行う方法で
ある。腕時計３において、インストールされている何れかの機能モジュールが起動されて、第１の登録方法による初期登録を行うための必要な操作が行われると、図７に示す初期登録処理が開始される。なお、初期登録処理を行う際に用いられる無線通信方式も、該当する特定機能に対応した無線通信方式である。
【００９８】
何れかの機能モジュールが図７の初期登録処理を開始すると、Ｓ１０５で、制御装置から送信されたリクエスト信号ＲＱを受信する。Ｓ１１０では、そのリクエスト信号ＲＱに対してＩＣカードから送信された応答信号ＲＳを受信する。Ｓ１１５では、その応答信号ＲＳに対して制御装置から送信された認証許可信号を受信する。Ｓ１２０では、その認証許可信号に対してＩＣカードから送信された機能情報を受信する。Ｓ１２５では、その機能情報に対して制御装置から送信された更新機能情報を受信する。Ｓ１３０では、その更新機能情報に対してＩＣカードから送信された完了通知を受信する。Ｓ１３５では、Ｓ１０５〜Ｓ１３０までの各処理で制御装置及びＩＣカードから受信した情報を関連づけて、当該機能モジュールに対応した情報として登録する。つまり、当該機能モジュールを、対応するＩＣカードとして機能できるように登録する。これにより、以後は、その登録した特定機能については、対応する制御装置のアンテナに腕時計３をかざすことで、ＩＣカードをかざした場合と同等の機能を実行させることができる。
【００９９】
（４−２）機能利用処理
次に、腕時計３内の各機能モジュールに含まれる機能利用処理について、図８を用いて説明する。腕時計３において、インストールされている各機能モジュールのうちすでに初期登録が完了している機能モジュールについては、その機能モジュールに含まれる機能利用処理が周期的に繰り返し実行される。初期登録が完了している機能モジュールが複数ある場合には、それら複数の機能モジュール毎の各機能利用処理が、所定の順番で、或いはマルチタスク処理（並列処理）として、それぞれ周期的に実行される。ここでは、説明の簡素化のために、ある１つの特定機能の機能モジュールのみ初期登録が完了していて、その機能モジュールに含まれる機能利用処理が周期的に実行されているものと仮定して、説明を続ける。
【０１００】
初期登録が完了している機能モジュールが図８の機能利用処理を開始すると、Ｓ１６０で、対応する制御装置からリクエスト信号ＲＱを受信したか否か判断する。リクエスト信号ＲＱを受信した場合にそれが自身に対応したリクエスト信号ＲＱであるか否かは、既述の通り、リクエスト信号ＲＱに含まれている機能コードに基づいて判断することができる。
【０１０１】
自身に対応したリクエスト信号ＲＱが受信されない場合は（Ｓ１６０：ＮＯ）、この機能利用処理を終了する。自身に対応したリクエスト信号ＲＱを受信した場合は（Ｓ１６０：ＹＥＳ）、Ｓ１６５で、応答信号ＲＳを送信する。この応答信号ＲＳには、既述の通り、少なくともＩＤ及び機能コードが含まれる。
【０１０２】
Ｓ１７０では、Ｓ１６５で送信した応答信号ＲＳに対する認証許可信号が制御装置から受信されたか否か判断する。対応する認証許可信号が受信されない場合は（Ｓ１７０：ＮＯ）、Ｓ１９５で所定のエラー処理を行って、この機能利用処理を終了する。対応する認証許可信号を受信した場合は（Ｓ１７０：ＹＥＳ）、Ｓ１７５で、機能情報を送信する。ここで送信する機能情報は、既述の通り、機能登録情報としてメモリ１８に登録（記憶）されている各種情報の一部又は全てである。
【０１０３】
Ｓ１８０では、Ｓ１７５で送信した機能情報に対する更新機能情報が制御装置から受信されたか否か判断する。対応する更新機能情報が受信されない場合は（Ｓ１８０：ＮＯ）、Ｓ１９５のエラー処理に進む。対応する更新機能情報を受信した場合は（Ｓ１８０：Ｙ
ＥＳ）、Ｓ１８５で、現在登録されている機能登録情報を、その受信した更新機能情報に従って更新する。例えば、Ａ電鉄機能モジュールに対応した更新機能情報としてチャージ料の最新情報が受信された場合に、その受信されたチャージ料が、現在登録されているチャージ料から変更されている場合には、登録内容をその受信されたチャージ料に更新する。機能情報の更新後、Ｓ１９０で完了通知を送信して、機能利用処理を終了する。
【０１０４】
（４−３）第２の登録方法による初期登録処理
腕時計３内の各機能モジュールに含まれる初期登録処理のうち、第２の登録方法による初期登録処理について、図９（ａ）を用いて説明する。第２の登録方法とは、図３（ｂ）を用いて説明した通り、腕時計３が直接、ＩＣカード内の機能情報を読み取って登録する方法である。
【０１０５】
腕時計３において、何れかの機能モジュールが図９（ａ）に示す第２の登録方法による初期登録処理を開始すると、Ｓ２０５で、リクエスト信号ＲＱを送信する。Ｓ２１０では、そのリクエスト信号ＲＱに対する応答信号ＲＳがＩＣカードから受信されたか否か判断する。応答信号ＲＳが受信されない場合は（Ｓ２１０：ＮＯ）、Ｓ２４０で所定のエラー処理を行って、この初期登録処理を終了する。応答信号ＲＳが受信された場合は（Ｓ２１０：ＹＥＳ）、Ｓ２１５に進む。
【０１０６】
Ｓ２１５では、認証許可信号を送信する。Ｓ２２０では、その認証許可信号に対する機能情報がＩＣカードから受信されたか否か判断する。機能情報が受信されない場合は（Ｓ２２０：ＮＯ）、Ｓ２４０のエラー処理に進む。機能情報が受信された場合は（Ｓ２２０：ＹＥＳ）、Ｓ２２５で、更新機能情報を送信する。ここで送信する更新機能情報は、初期登録のためのダミー情報であり、ＩＣカード内の機能情報を実質的に更新するものではない。
【０１０７】
Ｓ２３０では、そのダミーの更新機能情報に対する完了通知がＩＣカードから受信されたか否か判断する。完了通知が受信されない場合は（Ｓ２３０：ＮＯ）、Ｓ２４０のエラー処理に進む。完了通知を受信した場合は（Ｓ２３０：ＹＥＳ）、Ｓ２３５に進む。Ｓ２３５では、Ｓ２１０，Ｓ２２０，Ｓ２３０でＩＣカードから受信した各情報を、Ｓ２０５，Ｓ２１５，Ｓ２２５で送信した各情報と関連付けて、当該機能モジュールに対応した情報として登録する。これにより初期登録が完了する。
【０１０８】
（４−４）第３の登録方法による初期登録処理
腕時計３内の各機能モジュールに含まれる初期登録処理のうち、第３の登録方法による初期登録処理について、図９（ｂ）を用いて説明する。第３の登録方法とは、図３（ｃ）を用いて説明した通り、中継登録器３７を利用して登録する方法である。なお、前提として、中継登録器３７においてはすでにＩＣカードと通信を行うことによってＩＣカードから必要な情報が取得されているものとする。
【０１０９】
腕時計３において、何れかの機能モジュールが図９（ｂ）に示す第３の登録方法による初期登録処理を開始すると、Ｓ２６０で、中継登録器３７へ登録情報を要求する。Ｓ２６５では、Ｓ２６０の要求に対して中継登録器３７から送信される各種情報を受信する。ここで中継登録器３７から受信する各種情報には、少なくとも、リクエスト信号ＲＱ、応答信号ＲＳ、機能情報、及び完了通知が含まれる。Ｓ２７０では、Ｓ２６５で受信した各種信号を関連付けて、当該機能モジュールに対応した情報として登録する。これにより初期登録が完了する。
【０１１０】
（５）自動車用電子キー機能モジュールの説明
（５−１）車両５０の構成
次に、腕時計３が有する各機能モジュールのうち、自動車用電子キーとしての機能を発揮する自動車用電子キー機能モジュールについて、図１０及び図１１を用いて説明する。まず、当該機能における対象機器である車両５０の構成について、図１０を用いて説明する。
【０１１１】
本実施形態の車両５０は、エンジン（内燃機関）を走行用駆動源として有する車両である。車両５０は、図１０に示すように、制御部５１を備える。制御部５１は、図示しないＣＰＵ、ＲＯＭ、ＲＡＭ、Ｉ／Ｏなどを備えたマイクロコンピュータを含む。制御部５１は、当該制御部５１に接続されている各部を含む、車両５０内の各種回路、機能ブロックを制御する。
【０１１２】
制御部５１により制御される各種回路や機能ブロックとして、本実施形態では、エンジン部５６と、ブレーキ部５７と、ステアリング部５８と、ドア５９と、クラクション６０と、ウィンカー６１とを少なくとも有する。なお、ドア５９、及びウィンカー６１は、実際には、複数設けられている。
【０１１３】
エンジン部５６は、エンジン、及びそのエンジンを制御するエンジン制御ユニットを備える。制御部５１は、エンジン部５６内のエンジン制御ユニットを介して、エンジンの動作を制御することができる。ブレーキ部５７は、車両５０に設けられたブレーキ機構及びこれを制御するブレーキ制御ユニットを備える。ステアリング部５８は、ユーザが直接操作するステアリングホイール５８ａ（図１０（ｂ）参照）や、車両５０の車輪を操舵する操舵機構及びこれを制御するステアリング制御ユニット（何れも図示略）を備える。
【０１１４】
制御部５１は、メモリ５５に記憶されている各種プログラムやデータに基づいて、各種の機能を実行する。メモリ５５は、記憶内容を電気的に書き換え可能な不揮発性メモリであり、本実施形態ではフラッシュメモリである。メモリ５５に記憶されているデータには、ＩＤ情報５５ａが含まれる。
【０１１５】
ＩＤ情報５５ａには、車両５０に固有のＩＤ情報が含まれる。このＩＤ情報は、電子キー（不図示）に記憶されているＩＤ情報と同じであり、且つ、腕時計３において自動車用電子キー機能モジュールに含まれているＩＤ情報と同じである。即ち、ＩＤ情報５５ａには、既述の基本ＩＤ３と、３つのセキュリティＩＤ（ＩＤ３ａ，ＩＤ３ｂ，ＩＤ３ｃ）が含まれる。各セキュリティＩＤは、より具体的には、エンジン用ＩＤ３ａと、ステアリング用ＩＤ３ｂと、ブレーキ用ＩＤ３ｃである。
【０１１６】
基本ＩＤ３は、電子キー機能を用いて車両５０を操作する際の基本的なＩＤである。車両５０では、外部から受信された基本ＩＤがこの基本ＩＤ３と一致しない場合は、電子キー機能における全ての機能が制限される。即ち、ドア５９はアンロックスタンバイ状態にならず、エンジン部５６も始動スタンバイ状態とはならない。よって、ドア５９を開けることはできず、またエンジンを始動させることもできない。
【０１１７】
また、基本ＩＤが基本ＩＤ３と一致しても、各セキュリティＩＤが一致しない場合は、その一致しないセキュリティＩＤに対応した機能については動作が制限される。例えば、外部から受信したエンジン用ＩＤがメモリ５５に記憶されているエンジン用ＩＤ３ａと一致しない場合は、始動スタンバイ状態にはさせない。また例えば、外部から受信したステアリング用ＩＤがメモリ５５に記憶されているステアリング用ＩＤ３ｂと一致しない場合は、ステアリングロックを解除しない。また例えば、外部から受信したブレーキ用ＩＤがメモリ５５に記憶されているブレーキ用ＩＤ３ｃと一致しない場合は、ユーザ操作にかかわらずパーキングブレーキを強制的にかける（パーキングブレーキをかけて停止中の場合はその状態を強制的に保持する）。
【０１１８】
また、車両５０は、自動車用電子キー機能を実現するためのスマート通信を具体的に実行する通信手段として、車室外送信機５２、車室内送信機５３、及び受信機５４を備えている。
【０１１９】
車室外送信機５２及び車室内送信機５３は、制御部５１からの指令に基づき、リクエスト信号ＲＱを周期的に送信する。なお、車室外送信機５２から送信されるリクエスト信号ＲＱと車室内送信機５３から送信されるリクエスト信号ＲＱは、厳密には全く同じ内容ではなく、少なくとも、発信元を示す識別情報が含まれる。
【０１２０】
車室外送信機５２及び車室内送信機５３は、実際には、それぞれ複数設けられている。即ち、複数の車室内送信機５３によって、車両５０の室内に車室内検知エリア（何れかの車室内送信機５３からのリクエスト信号ＲＱを受信可能なエリア）が形成される。また、複数の車室外送信機５２によって、車両５０の周囲に車室外検知エリア（何れかの車室外送信機５２からのリクエスト信号を受信可能なエリア）が形成される。
【０１２１】
受信機５４は、電子キー或いは腕時計３から送信される各種信号を受信可能である。受信機５４が電子キー或いは腕時計３から受信する信号には、各送信機５２，５３から送信されたリクエスト信号ＲＱに対する応答信号ＲＳが含まれる。電子キー又は腕時計３がリクエスト信号ＲＱを受信すると、それに対する応答信号ＲＳを、そのリクエスト信号ＲＱに含まれていた識別情報を付加して送信する。そのため、車両５０の制御部５１は、受信機５４で応答信号ＲＳが受信された場合、その応答信号ＲＳに付加されている識別情報に基づいて、少なくとも、その送信元である電子キー又は腕時計３が車両５０の室内又は室外のどちらに存在しているのかを判別することができる。
【０１２２】
本実施形態の車両５０は、腕時計３とのスマート通信によって、従来の電子キーシステムと同等の機能を発揮することができる。例えば、腕時計３を持ったユーザが車両５０の車室外検知エリアに入ってくると、図１０（ａ）に例示するように、車室外送信機５２からのリクエスト信号ＲＱが腕時計３で受信される。この場合、腕時計３では、その受信したリクエスト信号ＲＱに基づいて自動車用電子キー機能モジュールが実質的な動作が開始され、スマート通信にて応答信号ＲＳが送信される。この応答信号ＲＳが車両５０の受信機５４で受信され、ＩＤ照合が成功すると、ドア５９がアンロックスタンバイ状態になる。
【０１２３】
その後、ユーザが車両５０に乗り込むことによって、腕時計３が車室内検知エリアに入ってくると、図１０（ｂ）に例示するように、車室内送信機５３からのリクエスト信号ＲＱが腕時計３で受信される。この場合、腕時計３では、その受信したリクエスト信号ＲＱに基づいて自動車用電子キー機能モジュールが引き続き実質的な動作が継続され、スマート通信にて応答信号ＲＳが送信される。この場合の応答信号ＲＳの内容は、上述した３つのセキュリティＩＤである。この応答信号ＲＳ（即ち３つのセキュリティＩＤ）が車両５０の受信機５４で受信され、各セキュリティＩＤの照合が全て成功すると、エンジンが始動スタンバイ状態になり、ステアリングロックが解除され、パーキングブレーキが解除可能な状態となる。
【０１２４】
（５−２）電子キー機能処理
次に、腕時計３内の自動車用電子キー機能モジュールが実行する各種処理のうち、特に車室内送信機５３からのリクエスト信号ＲＱに対して実行する車室内通信処理について、図１１を用いて説明する。腕時計３において、自動車用電子キー機能モジュールは、初期登録の完了後は、図１１に示す車室内通信処理を周期的に繰り返し実行する。
【０１２５】
自動車用電子キー機能モジュールは、図１１の車室内通信処理を開始すると、Ｓ３０５で、車室内送信機５３からリクエスト信号ＲＱを受信したか否か判断する。車室内送信機５３からリクエスト信号を受信していない場合は（Ｓ３０５：ＮＯ）、この車室内通信処理を終了する。車室内送信機５３からリクエスト信号を受信した場合は（Ｓ３０５：ＹＥＳ）、Ｓ３１０に進む。
【０１２６】
Ｓ３１０では、エンジン用ＩＤ３ａを送信する。Ｓ３１５では、ステアリング用ＩＤ３ｂを送信する。Ｓ３２０では、ブレーキ用ＩＤ３ｃを送信する。Ｓ３２５では、車室内送信機５３から車室内機能認証信号を受信したか否か判断する。車室内機能認証信号が受信されない場合は（Ｓ３２５：ＮＯ）、Ｓ３３０で所定のエラー処理を行って、この車室内通信処理を終了する。車室内機能認証信号を受信した場合は（Ｓ３２５：ＹＥＳ）、そのままこの車室内通信処理を終了する。
【０１２７】
（５−３）車両５０における車室内認証処理
次に、車両５０の制御部５１が実行する車室内認証処理について、図１２を用いて説明する。車両５０の制御部５１は、図１２の車室内認証処理を周期的に繰り返し実行する。車両５０の制御部５１は、図１２の車室内認証処理を開始すると、Ｓ５００で、エラーフラグをセットする。Ｓ５０５では、車室内送信機５３からリクエスト信号ＲＱを送信させる。
【０１２８】
Ｓ５１０では、受信機５４にてエンジン用ＩＤを受信したか否か判断する。エンジン用ＩＤが受信されない場合は（Ｓ５１０：ＮＯ）、この車室内認証処理を終了する。エンジン用ＩＤを受信した場合は（Ｓ５１０：ＹＥＳ）、Ｓ５１５で、その受信したエンジン用ＩＤの認証処理を行い、認証が成功したか否か判断する。具体的には、受信したエンジン用ＩＤが、車両５０にＩＤ情報５５ａとして記憶されているエンジン用ＩＤ３ａと一致するか否か判断し、一致した場合に認証成功と判断する。
【０１２９】
エンジン用ＩＤの認証に失敗した場合は（Ｓ５１５：ＮＯ）、この車室内認証処理を終了する。エンジン用ＩＤの認証に成功した場合は（Ｓ５１５：ＹＥＳ）、Ｓ５２０で、エンジン始動スタンバイ処理を行って、Ｓ５２５に進む。エンジン始動スタンバイ処理とは、エンジンを始動スタンバイ状態に移行させる処理を含む所定の処理である。
【０１３０】
Ｓ５２５では、受信機５４にてステアリング用ＩＤを受信したか否か判断する。ステアリング用ＩＤが受信されない場合は（Ｓ５２５：ＮＯ）、この車室内認証処理を終了する。ステアリング用ＩＤを受信した場合は（Ｓ５２５：ＹＥＳ）、Ｓ５３０で、その受信したステアリング用ＩＤの認証処理を行い、認証が成功したか否か判断する。具体的には、受信したステアリング用ＩＤが、車両５０にＩＤ情報５５ａとして記憶されているステアリング用ＩＤ３ｂと一致するか否か判断し、一致した場合に認証成功と判断する。
【０１３１】
ステアリング用ＩＤの認証に失敗した場合は（Ｓ５３０：ＮＯ）、この車室内認証処理を終了する。ステアリング用ＩＤの認証に成功した場合は（Ｓ５３０：ＹＥＳ）、Ｓ５３５で、ステアリングロックを解除して、Ｓ５４０に進む。
【０１３２】
Ｓ５４０では、受信機５４にてブレーキ用ＩＤを受信したか否か判断する。ブレーキ用ＩＤが受信されない場合は（Ｓ５４０：ＮＯ）、この車室内認証処理を終了する。ブレーキ用ＩＤを受信した場合は（Ｓ５４０：ＹＥＳ）、Ｓ５４５で、その受信したブレーキ用ＩＤの認証処理を行い、認証が成功したか否か判断する。具体的には、受信したブレーキ用ＩＤが、車両５０にＩＤ情報５５ａとして記憶されているブレーキ用ＩＤ３ｃと一致するか否か判断し、一致した場合に認証成功と判断する。
【０１３３】
ブレーキ用ＩＤの認証に失敗した場合は（Ｓ５４５：ＮＯ）、この車室内認証処理を終了する。ブレーキ用ＩＤの認証に成功した場合は（Ｓ５４５：ＹＥＳ）、Ｓ５５０で、パーキングブレーキの解除スタンバイ処理を行って、Ｓ５５５に進む。
【０１３４】
Ｓ５５５に進んだと言うことは、３つのセキュリティＩＤ全てについて認証が成功したということである。そこで、Ｓ５５５では、エラーフラグをクリアする。そして、Ｓ５６０で車室内機脳認証信号を送信して、この車室内認証処理を終了する。
【０１３５】
（５−４）車両５０における車両動作監視処理
次に、車両５０の制御部５１が実行する車両動作監視処理について、図１３を用いて説明する。車両５０の制御部５１は、図１３の車両動作監視処理を周期的に繰り返し実行する。車両５０の制御部５１は、図１３の車両動作監視処理を開始すると、Ｓ６０５で、エンジンが動作中か否か判断する。エンジンが動作中である場合は（Ｓ６０５：ＹＥＳ）、Ｓ６２０で、エラーフラグがセットされているか否か判断する。
【０１３６】
エラーフラグがセットされていない場合は（Ｓ６２０：ＮＯ）、この車両動作監視処理を終了する。エラーフラグがセットされている場合は（Ｓ６２０：ＹＥＳ）、Ｓ６２５で、警報出力処理を行う。具体的には、クラクション６０を鳴動させたり、ウィンカー６１を点滅させたりする。Ｓ６０５で、エンジンが停止している場合は、Ｓ６１０に進む。
【０１３７】
Ｓ６１０では、ステアリングロックが解除されているか否か判断する。ステアリングロックが解除されている場合は（Ｓ６１０：ＹＥＳ）、Ｓ６２０以降の処理に進む。即ち、エラーフラグがセットされているか否か判断し、セットされている場合には警報出力処理（Ｓ６２５）を行う。ステアリングロックが解除されていない場合は（Ｓ６１０：ＮＯ）、Ｓ６１５に進む。
【０１３８】
Ｓ６１５では、パーキングブレーキが解除されているか否か判断する。パーキングブレーキが解除されている場合は（Ｓ６１５：ＹＥＳ）、Ｓ６２０以降の処理に進む。パーキングブレーキが解除されていない場合は（Ｓ６１５：ＮＯ）、この車両動作監視処理を終了する。
【０１３９】
エラーフラグがセットされているということは、３つのセキュリティＩＤのうち少なくとも１つの認証が失敗しているということである。そのような場合に、エンジンが動作していたり、ステアリングロックが解除されていたり、パーキングブレーキが解除されていたりすると、不正なユーザによって車両５０が操作されている可能性がある。そこで、エラーフラグがセットされているにもかかわらずエンジンが動作していたりステアリングロックが解除されていたりパーキングブレーキが解除されていたりする場合には、警報を出力するようにしている。
【０１４０】
（６）実施形態の効果等
以上説明した本実施形態の非接触型機能システムでは、通常はＩＣカードやそれに類する媒体とサービス提供者側の対象機器（例えば既述の制御装置）との間の無線通信によって実現される特定機能（サービス）が、腕時計３と対象機器との無線通信により実現できる。
【０１４１】
即ち、腕時計３内に、ＩＣカード又はこれに類する媒体によって実現される特定機能を登録可能である。そして、登録されている特定機能については、腕時計３は、対象機器に対し、ＩＣカード又はこれに類する媒体と同様に振る舞う。しかも、腕時計３内には複数の特定機能を登録可能である。つまり、異なるサービスの複数のＩＣカード等の機能が腕時計３内に統合されていると見なすことができる。
【０１４２】
そのため、本実施形態の腕時計３によれば、ＩＣカード又はこれに類する媒体を用いた非接触通信によるサービスを複数享受する際のユーザの利便性が向上する。
また、腕時計３への特定機能の登録は、本実施形態では、少なくとも、第１の登録方法〜第３の登録方法の三種類の方法で行うことができる。何れの登録方法も、腕時計３がＩＣカード等から必要な情報を取得してメモリ１８に記憶することは共通している。このように、ＩＣカード等から必要な情報を取得することで、腕時計３に対し、対応する特定機能を容易に登録することができる。
【０１４３】
三種類の初期登録の方法のうち、第１の登録方法は、ＩＣカードと対応機器との間で無線通信が行われているときに両者間で送受される信号を腕時計３が受信（傍受）して登録する方法である。この第１の登録方法は、腕時計３としては単に両者間で送受される信号を傍受できればよいため、比較的容易に初期登録を行うことができる。
【０１４４】
これに対し、第２の登録方法は、腕時計３が擬似的に制御装置として振る舞うことによりＩＣカードと直接通信を行って、ＩＣカードから必要な情報を取得して登録する方法である。この第２の登録方法は、ＩＣカードを実際に対応機器にかざす必要はないため、ＩＣカードがあれば場所を問わず容易に登録を行うことができる。
【０１４５】
第３の登録方法は、中継登録器３７を用いて登録する方法である。この第３の方法は、中継登録器３７という機器が必要ではあるものの、腕時計３は、その中継登録器３７から登録に必要な情報を容易且つ確実に取得することができる。
【０１４６】
また、本実施形態の腕時計３は、様々な種類の特定機能を登録することができる。登録可能な特定機能には、少なくとも、交通系カード機能、電子マネー機能、電子錠機能、及び自動車用電子キー機能が含まれる。そのため、ＩＣカード等の媒体を持つことなく、腕時計３のみを所持するだけで、様々な特定機能を実現（様々なサービスを享受）することができる。
【０１４７】
また、自動車用電子キー機能においては、腕時計３が車両５０の室内に入ると、腕時計３から複数のセキュリティＩＤ（ＩＤ３ａ，ＩＤ３ｂ，ＩＤ３ｃ）が送信される。これら各セキュリティＩＤは、それぞれ、エンジン部５６、ステアリング部５８、及びブレーキ部５７に対応したＩＤである。何れかのセキュリティＩＤについて認証が失敗した場合は、そのセキュリティＩＤに対応した機能が制限される。
【０１４８】
例えば、エンジン用ＩＤ３ａの認証が成功して、エンジンが始動できるようになっても、ステアリング用ＩＤ３ｂの認証が失敗した場合はステアリングロックが解除されず、ステアリング操作を行うことができない。つまり、車両５０においては、基本ＩＤ以外の複数のセキュリティＩＤによって多重にロックをかけることができる。しかも、全てのセキュリティＩＤの認証が成功していないにもかかわらずエンジンが動作していたりステアリングロックが解除されていたりパーキングブレーキが解除されている場合は、警報出力が行われる。そのため、セキュリティ性能の非常に高い車両５０を提供することが可能となる。
【０１４９】
［他の実施形態］
（１）何れかの特定機能に対応したリクエスト信号ＲＱを腕時計３が受信した場合に、そのリクエスト信号ＲＱがどの特定機能に対応したものであるか（即ちどの機能モジュールが対応すればよいか）を判断する方法は、上述した方法を含め、適宜考えられる。リクエスト信号ＲＱの内容そのもので判断できるようにしてもよいし、リクエスト信号ＲＱに機能コード又はそれに準ずる信号が付加されて送信される仕様の場合はその信号等に基づ
いて判断できるようにしてもよい。もちろん、受信周波数や通信方式を判断基準の１つとしてもよいことはいうまでもない。
【０１５０】
また、ＧＰＳ機能を利用して、リクエスト信号ＲＱを受信した位置に基づいて、そのリクエスト信号がどの特定機能に対応したものであるかを判断するようにしてもよい。例えば、リクエスト信号ＲＱを受信した時の腕時計の位置が自宅である場合には、自宅キー機能モジュールに対応したリクエスト信号ＲＱであると判断できる。
【０１５１】
（２）逆に、特定機能に対応した対応機器側（制御装置等）において、リクエスト信号ＲＱに対して複数の応答信号ＲＳが受信された場合に、どの応答信号ＲＳに反応すべきかを判断する方法についても、上述した方法を含めて適宜考えられる。応答信号ＲＳの内容そのもの（ＩＤ及び機能コードの少なくとも一方を含む）で判断できるようにしてもよいし、応答信号ＲＳに他の信号が付加される仕様の場合にはその信号に基づいて判断できるようにしてもよい。
【０１５２】
（３）腕時計３において、指紋認証機能を付加するようにしてもよい。更に、腕時計３において、リクエスト信号ＲＱを受信した場合に、そのリクエスト信号ＲＱがどの特定機能に対応したものであるか不明な場合には、登録されている全ての特定機能（全ての登録機能モジュール）に対応した応答信号ＲＳを送信するようにしてもよい。そして、対応機器側で、その複数の応答信号ＲＳの中から対応する応答信号ＲＳを抽出させるようにしてもよい。
【０１５３】
具体例を、図１４及び図１５を用いて説明する。図１４は、図８で説明した機能利用処理の他の実施例である。ただし、図１４の機能利用処理は、個々の機能モジュールが実行する処理ではなく、個々の機能モジュールを統括するアプリである統合モジュールが実行する処理である。
【０１５４】
統合モジュールが図１４の機能利用処理を開始すると、Ｓ７０５で、指紋検出部２４により指紋が検出されたか否か判断する。指紋が検出されない場合はこの機能利用処理を終了する。指紋が検出された場合は（Ｓ７０５：ＹＥＳ）、Ｓ７１０で、指紋認証処理を実行する。具体的には、予めメモリ１８に登録されている正規ユーザの指紋データと、検出された指紋データとが一致するか否か判断し、一致した場合に認証成功と判断する。
【０１５５】
Ｓ７１５では、指紋認証が成功したか否か判断する。指紋認証が失敗した場合は（Ｓ７１５：ＮＯ）、この機能利用処理を終了する。指紋認証が成功した場合は（Ｓ７１５：ＹＥＳ）、Ｓ７２０に進む。つまり、指紋が検出されて且つ指紋認証が成功しない限り、Ｓ７２０以降の処理には進まない。
【０１５６】
Ｓ７２０では、リクエスト信号ＲＱを受信したか否か判断する。リクエスト信号ＲＱが受信されない場合は（Ｓ７２０：ＮＯ）、この機能利用処理を終了する。リクエスト信号ＲＱを受信した場合は（Ｓ７２０：ＹＥＳ）、Ｓ７２５で、初期登録されている全ての機能モジュールからそれぞれ応答信号ＲＳを送信させる。具体的には、特定の時間間隔Ｔｘで順次、応答信号ＲＳを送信させる。
【０１５７】
Ｓ７３０では、認証許可信号及び機能特定情報が受信されたか否か判断する。機能特定情報とは、機能モジュールを特定するための情報であり、Ｓ７２０で受信されたリクエスト信号ＲＱに対応した機能モジュールを特定可能な情報である。認証許可信号及び機能特定情報が受信されない場合は（Ｓ７３０：ＮＯ）、Ｓ７６０で所定のエラー処理を行って、この機能利用処理を終了する。認証許可信号及び機能特定情報を受信した場合は（Ｓ１７０：ＹＥＳ）、Ｓ７４０に進む。Ｓ７４０以降の処理は、図８におけるＳ１７５以降の
処理と同じである。
【０１５８】
上述した図１４の機能利用処理に対する、制御装置側の機能実行処理の一例を、図１５に示す。図１５は、図６で説明した機能実行処理の他の実施例である。制御装置が図１５の機能実行処理を開始すると、Ｓ８０５で、リクエスト信号ＲＱを送信する。
【０１５９】
Ｓ８１０では、応答信号ＲＳが受信されたか否か判断する。応答信号ＲＳが受信されない場合は（Ｓ８１０：ＮＯ）、この機能実行処理を終了する。応答信号ＲＳが受信された場合は（Ｓ８１０：ＹＥＳ）、Ｓ８１５に進む。Ｓ８１５では、受信した応答信号ＲＳをメモリ１８又はＲＡＭ（不図示）に記憶する。
【０１６０】
Ｓ８２０では、直前に受信した応答信号ＲＳの受信タイミングから、新たに応答信号ＲＳが受信されることなく所定の待機時間Ｔｗが経過したか否か判断する。待機時間Ｔｗは、少なくとも、上記時間間隔Ｔｘよりも長い時間に設定されている。待機時間Ｔｗがまだ経過していない場合は（Ｓ８２０：ＮＯ）、Ｓ８２５で再び、応答信号ＲＳが新たに受信されたか否か判断する。応答信号ＲＳが受信されない場合は（Ｓ８２５：ＮＯ）、Ｓ８２０に戻る。応答信号ＲＳが受信された場合は（Ｓ８２５：ＹＥＳ）、Ｓ８３０で、その受信した応答信号ＲＳをメモリ１８又はＲＡＭに記憶して、Ｓ８２０に戻る。
【０１６１】
Ｓ８２０で、待機時間Ｔｗが経過した場合は、Ｓ８３５に進む。Ｓ８３５では、受信した応答信号ＲＳ（メモリ又はＲＡＭに記憶中）の中に、自身（当該制御装置に対応した特定機能）に適合する応答信号ＲＳ（以下「適合応答信号ＲＳ」ともいう）があるか否か判断する。適合応答信号ＲＳがない場合は、Ｓ８７５のエラー処理に進む。適合応答信号ＲＳがある場合は、Ｓ８４０で、その適合応答信号ＲＳに含まれているＩＤの認証処理を行う。ＩＤ認証に失敗した場合は、Ｓ８７５のエラー処理に進む。ＩＤ認証に成功した場合は、Ｓ８４５で、認証許可信号及び機能特定情報得を送信する。機能特定情報は、適合応答信号ＲＳに対応した特定機能を示す情報であり、どの機能モジュールからの応答信号ＲＳが自身に適合しているのかを示す情報である。この特定機能情報は、既述の図１４のＳ７３０で受信判断される。Ｓ８５０以降の処理は、図６のＳ３０以降の処理と同じである。
【０１６２】
なお、複数の応答信号ＲＳを腕時計３からまとめて送信する場合、上記のように一定時間間隔Ｔｘで送信する方法とは別の送信方法を採用してもよい。例えば、複数の応答信号ＲＳを時分割多重通信にて送信するようにしてもよい。
【０１６３】
また、指紋認証に代えて、或いは指紋認証に加えて、他の認証方法を採用してもよい。例えば、撮像部２３により撮影されたユーザの顔画像に基づく顔認証を行うようにしてもよい。また例えば、音声入力部２１から入力されたユーザの音声に基づく声認証（声紋認証）を行うようにしてもよい。
【０１６４】
（４）特定機能毎に個別にアプリ（機能モジュール）を備えることは必須ではない。上述した統合モジュールのように、１つのアプリによって複数種類の特定機能を登録できるようにしてもよい。
【０１６５】
（５）各特定機能に対応した無線通信方式や通信周波数は、上記実施例に限定されるものではない。登録可能な特定機能の種類も、上記実施例に限定されるものではない。
（６）本発明は、腕時計以外の他の各種の携帯端末に対しても適用可能である。例えば、携帯電話やスマートフォンに、上述した腕時計１における、本発明の機能（複数種類の特定機能を登録、利用可能な機能）を搭載してもよい。また例えば、携帯電話機能を持たない他の各種の端末に本発明の機能を搭載してもよい。また例えば、本発明の機能に特化
した専用の携帯端末を構成してもよい。
【０１６６】
また、本発明が適用される携帯端末の利用形態としては、上記実施形態の腕時計１のように身体に装着した状態で対象機器にかざすような利用形態であってもよいし、携帯電話やスマートフォンなどの携帯端末をユーザが直接手で持って対象機器にかざすような利用形態であってもよい。また例えば、首掛け式のカードホルダーに携帯端末を収納して所持し、必要に応じてカードホルダーごと対象機器にかざすような利用形態であってもよいし、携帯端末に直接ネックストラップ取り付けて首に掛けて所持する利用形態であってもよい。また例えば、伸縮可能なリール型のストラップに携帯端末を取り付けて、首にかけたり腰に下げたりするなどして所持し、必要に応じてリールを延ばしつつ携帯端末を対象機器にかざすような利用形態であってもよい。
【０１６７】
（７）その他、本発明は、上記の実施形態に示された具体的手段や構造等に限定されるものではなく、本発明の要旨を逸脱しない範囲において種々の形態を採り得る。例えば、上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【０１６８】
３…腕時計、４…ＩＣカード、６…自動改札機、７…制御装置、７ａ…リーダライタ、７ｂ…アンテナ、８…ゲート機構、９…サーバ、１０，５１…制御部、１１…第１通信部、１２…第２通信部、１３…第３通信部、１４…電話網通信部、１５…ＧＰＳ通信部、１６…自動車用電子キー通信部、１７…時計部、１８，５５…メモリ、１９…操作入力部、２０…表示部、２１…音声入力部、２２…音声出力部、２３…撮像部、２４…指紋検出部、２６…バッテリ、２７…電源回路、２８…非接触受給電部、３１…玄関ドア、３２…制御装置、３３…ロック機構、３５…自宅用カードキー、３７…中継登録器、５０…車両、５２…車室外送信機、５３…車室内送信機、５４…受信機、５６…エンジン部、５７…ブレーキ部、５８…ステアリング部、５８ａ…ステアリングホイール、５９…ドア、６０…クラクション、６１…ウィンカー。 
【図１】
2018142321.tif 000003
【図２】
2018142321.tif 000004
【図３】
2018142321.tif 000005
【図４】
2018142321.tif 000006
【図５】
2018142321.tif 000007
【図６】
2018142321.tif 000008
【図７】
2018142321.tif 000009
【図８】
2018142321.tif 000010
【図９】
2018142321.tif 000011
【図１０】
2018142321.tif 000012
【図１１】
2018142321.tif 000013
【図１２】
2018142321.tif 000014
【図１３】
2018142321.tif 000015
【図１４】
2018142321.tif 000016
【図１５】
2018142321.tif 000017
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
複数の機能実行装置との間で無線通信が可能な携帯端末であって、
前記複数の機能実行装置は各々、複数種類の機能のうち予め決められた特定機能を実行可能であって、前記特定機能の実行に必要な特定機能情報を外部から取得するための情報要求を特定の無線通信方式にて送信し、その情報要求に対して前記特定機能情報を受信した場合にその特定機能情報に基づいて前記特定機能を実行可能に構成されており、
当該携帯端末は、
複数種類の前記特定機能及び当該特定機能ごとに対応した前記特定機能情報を登録可能な登録部と、
前記登録部により登録されている前記特定機能毎に、その特定機能に対応した少なくとも１つの前記特定機能情報を記憶可能な記憶部と、
前記特定機能毎に個別に、その特定機能に対応した前記機能実行装置との間でその特定機能に対応した前記無線通信方式にて無線通信を行うことが可能な無線通信部と、
何れかの前記特定機能に対応した前記情報要求が前記無線通信部にて受信された場合に、前記記憶部に記憶された、前記少なくとも１つの前記特定機能情報のうち、その特定機能に対応した前記特定機能情報を前記記憶部から読み出して、その特定機能に対応する前記無線通信方式にて前記無線通信部から送信させる通信制御部と、
前記携帯端末のユーザの生体情報を取得するように構成された生体情報取得部と、
前記生体情報取得部により取得された前記生体情報が前記ユーザを表すものであるか否かを判定する認証部と、を備える、携帯端末。
【請求項２】
請求項１に記載の携帯端末であって、
前記無線通信部にて受信された前記情報要求に対応した特定機能の種類を判別する判別部と、
前記判別部により判別された前記特定の種類に応じて、前記生体情報取得部による前記生体情報の取得及び前記認証部による前記生体情報が前記ユーザを表すものであるか否かの判定を行うか否かを切り替えるように構成された切替部と、
を更に備える、携帯端末。
【請求項３】
複数の機能実行装置との間で無線通信が可能な携帯端末に搭載されたコンピュータに適用される認証プログラムであって、
前記複数の機能実行装置は各々、複数種類の機能のうち予め決められた特定機能を実行可能であって、前記特定機能の実行に必要な特定機能情報を外部から取得するための情報要求を特定の無線通信方式にて送信し、その情報要求に対して前記特定機能情報を受信した場合にその特定機能情報に基づいて前記特定機能を実行可能に構成されており、
前記認証プログラムは、
複数種類の前記特定機能及び当該特定機能ごとに対応した前記特定機能情報を登録可能な登録部と、
前記登録部により登録されている前記特定機能毎に、その特定機能に対応した少なくとも１つの前記特定機能情報を記憶可能な記憶部と、
前記特定機能毎に個別に、その特定機能に対応した前記機能実行装置との間でその特定機能に対応した前記無線通信方式にて無線通信を行うことが可能な無線通信部と、
何れかの前記特定機能に対応した前記情報要求が前記無線通信部にて受信された場合に、前記記憶部に記憶された、前記少なくとも１つの前記特定機能情報のうち、その特定機能に対応した前記特定機能情報を前記記憶部から読み出して、その特定機能に対応する前記無線通信方式にて前記無線通信部から送信させる通信制御部と、
前記携帯端末のユーザの生体情報を取得するように構成された生体情報取得部と、
前記生体情報取得部により取得された前記生体情報が前記ユーザを表すものであるか否かを判定する認証部と、として前記コンピュータを機能させる、認証プログラム。